(57)【特許請求の範囲】
【請求項１】
把手部と、該把手部に設けた支持軸に収納位置から使用位置の間でスイング自在に設けられたキーとから成り、把手部に設けられたロック解除用操作ボタンを操作すると、把手部に内装された駆動バネのバネ力によりキーが把手部から飛び出す携帯型鍵に於いて、
前記把手部の一端部に収納空間を形成し、該収納空間には前記駆動バネとは別個の復帰バネを内装すると共に、前記ロック解除用操作ボタンとは別体の前記支持軸を架設し、該支持軸には前記ロック解除用操作ボタンを軸方向に前記復帰バネのバネ力に抗してプッシュ操作すると、前記収納空間の内壁面との係合が解かれるロックカムを設け、また該支持軸には前記ロックカムと嵌合部を介して同期回転すると共に前記キーの基端部が固定されかつ前記支持軸に外嵌するカムを設け、さらに該支持軸には、前記駆動バネのバネ力により凹凸のカム面が前記カムの対応する凹凸のカム面にかみ合うカムフロアーを外嵌した携帯型鍵。
【請求項２】
請求項１に於いて、収納空間に、ロックカム、復帰バネ、カム、カムフロアー及び駆動バネをそれぞれ軸方向に一連に組み込んだことを特徴とする携帯型鍵。
【請求項３】
請求項１又は請求項２に於いて、把手部に収納空間に連通する第２収納空間を形成し、該第２収納空間にロックカムと係合するロック解除用操作ボタンを移動可能に収納したことを特徴とする携帯型鍵。
【請求項４】
請求項１に於いて、把手部は、ベース体と、該ベース体に固定手段を介して合体する蓋体とから成り、前記ベース体には、一側背面にキー収納溝が形成されていると共に、該一側背面とは反対側の合わせ面に相当する一側表面にロックカム、復帰バネ、カム、カムフロアー及び駆動バネをそれぞれ軸方向に一連に組み込むための支持凹所が形成されていることを特徴とする携帯型鍵。
【請求項５】
請求項４に於いて、ベース体の一側表面には、内部にキー収納溝を有する位置決め用嵌合部が突設されていることを特徴とする携帯型鍵。
【発明の詳細な説明】
【技術分野】
【０００１】
本発明は、建物の扉、家具、自動車等の開閉に使用することができる携帯型鍵に関する。
【背景技術】
【０００２】
特許文献１と特許文献２の課題は、建物の扉、家具、自動車等の開閉に使用する鍵をそのままの状態で携行しても、バッグ類の内装やポケットの袋部分を痛めたり、バッグ類やポケットから取り出す時に指を痛めたりするという欠点のない携帯型鍵を提供しようとするものである。
【０００３】
この課題を解決する具体的手段として、特許文献１は、把手部（持ち手部）にカギ（マニュアルキー）を収納した状態を保持するロックボタン（ロックボタンロック解除用操作ボタン）と、カギを把手部から押し出すための押し板バネ（駆動バネ）とを設け、前記ロックボタンを押すと、該ロックボタンから解放され前記カギは、基端部の支持軸を支点にして前記駆動バネのバネ力により把手部の切込みから勢い良く飛び出す。そして、カギを使用しない場合には、手でカギを把手部の切込み（収納位置）へと戻し、前記ロックボタンでカギの基端部側を係止する。
【０００４】
また特許文献２の図３に記載された実施形態は、「鍵の開閉用の本体を把手部内に回転自在に収納し、不使用時には鍵の開閉用の本体を把手部内に収納するようにし、一方、使用の際には、把手部の一端部に設けた抜け止め用ピン（ロックボタン）を操作すると、把手部に内装された板バネ（駆動バネ）のバネ力により、開閉用の本体（キー）が把手部から飛び出すもの」であり、特許文献１と全く同一の技術的思想である。
【０００５】
このように、従来、把手部と、該把手部に設けた支持軸に収納位置から使用位置の間でスイング自在に軸支されたキーとから成り、把手部に設けられたロックボタンを操作すると、把手部に内装された駆動バネのバネ力により、キーが把手部から飛び出す携帯型鍵は、公知の技術である。
【先行技術文献】
【特許文献】
【０００６】
【特許文献１】実開平６−６５５８０号公報
【特許文献２】特開平１０−２９２６８２号公報
【発明の概要】
【発明が解決しようとする課題】
【０００７】
ところで、従来の携帯型鍵は、ロック解除用操作ボタンをワンプッシュ操作すると、キーのロック状態が解かれ、キーが把手部から飛び出すので操作性が良いという利点があるものの、キーは板バネ（駆動バネ）により直接的に勢い良く飛び出すから、その速さ（回転スピード）を制御することができないと共に、飛び出した位置で変動（ブラブラ）する。また、キーを所望する位置（例えば使用する位置や、その付近、９０度、145度、７０度、45度など）まで回転させることができないという問題がある。
【０００８】
そこで、本願発明の所期の目的は、キーの飛び出す速さ（回転スピート）を制御させながら、所望位置まで回転させることができると共に、カムを利用することにより飛び出した位置でキーが「ブラブラ」しないことである。実施形態によっては、キーを所望する位置まで回転させ、かつ、カムの一つの凸部（山）と一つの凹部（谷）を利用して、使用位置にてキーをブラブラしないように保持することができることである。第２の目的は、把手部の一端部に収納空間を形成し、この収納空間を有効的に活用して、支持軸と共に、ロック機構を構成するロックカム、該ロックカムと共に回転可能なカム、該カムと凹凸のカム面が互いにかみ合うカムフロアー及び駆動バネをそれぞれ軸方向に組み込むことである。第３の目的は、各部材を収納空間に容易に組み込むことができることである。
【課題を解決するための手段】
【０００９】
本発明の携帯型鍵は、把手部と、該把手部に設けた支持軸に収納位置から使用位置の間でスイング自在に設けられたキーとから成り、把手部に設けられたロック解除用操作ボタンを操作すると、把手部に内装された駆動バネのバネ力によりキーが把手部から飛び出す携帯型鍵に於いて、前記把手部の一端部に収納空間を形成し、該収納空間には前記駆動バネとは別個の復帰バネを内装すると共に、前記ロック解除用操作ボタンとは別体の前記支持軸を架設し、該支持軸には前記ロック解除用操作ボタンを軸方向に前記復帰バネのバネ力に抗してプッシュ操作すると、前記収納空間の内壁面との係合が解かれるロックカムを設け、また該支持軸には前記ロックカムと嵌合部を介して同期回転すると共に前記キーの基端部が固定されかつ前記支持軸に外嵌するカムを設け、さらに該支持軸には、前記駆動バネのバネ力により凹凸のカム面が前記カムの対応する凹凸のカム面にかみ合うカムフロアーを外嵌した携帯型鍵。
【発明の効果】
【００１０】
（ａ）キーの飛び出す速さ（回転スピート）を制御させながら、所望位置まで回転させることができる。また、飛び出した位置で「ブラブラ」しない。
（ｂ）収納空間に、支持軸と共に、ロック機構を構成するロックカム、該ロックカム用復帰バネ、ロックカムと同期回転するカム、該カムと圧接するカムフロアー及びカムフロアー用駆動バネをそれぞれ軸方向に一連に組み込んだ実施形態は、把手部の収納空間を有効的に活用することができる。
（ｃ）把手部に収納空間に連通する第２収納空間を形成し、該第２収納空間にロックカムと係合するロックボタンを移動可能に収納した実施形態は、把手部のコンパクト化を図ることができる。
（ｄ）把手部は、ベース体と、該ベース体に固定手段を介して合体する蓋体とから成り、前記ベース体には、一側背面にキー収納溝が形成されていると共に、該一側背面とは反対側の合わせ面に相当する一側表面にロックカム、復帰バネ、カム、カムフロアー及び駆動バネをそれぞれ軸方向に一連に組み込むための支持凹所が形成されている実施形態は、各部材を収納空間に容易に組み込むことができる。
（ｅ）ベース体の一側表面に、内部にキー収納溝を有する位置決め用嵌合部が突設されている実施形態は、ベース体と蓋体とを簡単に合体させることができる。
（ｆ）キーは、カムを介して間接的に把手部から飛び出すので、実施形態如何によっては、キーを所望する位置まで回転させ、かつ、カムの一つの凸部（山）と一つの凹部（谷）を利用して、使用位置にてキーをブラブラしないように保持することができる。
【図面の簡単な説明】
【００１１】
【図１】携帯型鍵Ｘの全体を示す外観構成図。
【図２】ベース体２の斜視図。
【図３】蓋体４の斜視図。
【図４】図２の４−４線断面図。
【図５】図２の５−５線断面図。
【図６】ベース体２の収納空間と第2収納空間と主たる部材を組み込んだ斜視図。
【図７】主要部の概略断面説明図。
【図８】キー、支持軸、復帰バネ、ロックカム等の分解斜視図。
【図９】筒状カム、カムフロアー、駆動バネ等の分解斜視図。
【図１０】ロック解除用操作ボタン２９と、ストッパー９と、ロックカム３０との関係を示す説明図。
【図１１】筒状ハウジング６０内の駆動バネ５０、キー側のカム２７、カムフロアー４０の関係を示す概略説明図。
【図１２】キー収納時の説明図。
【図１３】ロック解除用操作ボタン２９を操作した時の説明図
【図１４】キーが飛び出た状態の説明図。
【図１５】キーを把手部に戻す説明図。
【発明を実施するための最良の形態】
【００１２】
まず、図１ないし図５を参照にして、携帯型鍵Ｘの把手部１を説明する。なお、把手部１の細部的事項の説明は割愛する。図１は携帯型鍵Ｘの全体を示す外観構成図である。把手部１は、図２で示す板状のベース体２と、このベース体２の一側表面に重ね合わせるように嵌合し、かつ、複数個のオネジ（固定手段）３を介して合体する蓋体４（図３）とから成る。ここで、図５を基準にしてベース体２の構成を説明すると、裏面に相当する一側背面２ａには、該ベース体２の長手方向の一端部（図面では右側）２ｃから他端部（図面では左側）２ｄにかけて上下方向（例えば縦方向）のキー収納溝５が形成されている。また、該一側背面２ａとは反対側の合わせ面に相当する一側表面２ｂの前記一端部２ｃには、後述するロックカム３０、復帰バネ２８、カムフロアー４０、及び駆動バネ５０を支持軸２５と共に軸方向に一連に組込むための支持凹所６が形成されている。
【００１３】
そして、本実施形態では、前記支持凹所６に筒状ハウジング６０を介して、前記支持軸２５が内設（架設）され、かつ、該支持軸２５に長尺状キー２１の基端部２１ａが間接的に設けられているので、該支持凹所６の略中央部には、前述したキー収納溝５と連通する基端部ガイド用切欠７が形成されている。
【００１４】
この基端部ガイド用切欠７を基準として、図２で示すように、支持凹所６は一端部右側の筒状ハウジング収納部分６ａと、一端部左側のロックカム収納部分６ｂに区分けされ、前記ロックカム収納部分６ｂを形成する弧状の仕切壁８の内壁面には、ロックカム３０の係合部分と係脱する突起状のストッパー９が設けられている。
【００１５】
また、本実施形態では、一側表面２ｂの一端部２ｃに、ロックカム収納部分６ｂと、仕切壁８の半円弧状軸孔１０を介して連通する第２収納空間１６が形成され、該第２収納空間１６にはロックカム３０と係合するロック解除用操作ボタン（操作体）２９が収納される。第２収納空間１６は、図２で示すように一側端部から仕切壁にかけて形成されており、その中途部位にはロック解除用操作ボタン２９の鍔部を係止する不番の突起部分が設けられている。
【００１６】
さらに、本実施形態では、一側表面２ｂの中央部には、他端部２ｄから支持凹所６付近まで前述したキー収納溝５を有する長箱外装の位置決め用嵌合部１２が突設されている。その他、矩形状ベース体２の適宜箇所には、オネジ３が貫通する貫通孔１３が複数個形成されている。
【００１７】
ところで、図３は板状蓋体４の斜視図であり、４ａは一側背面、４ｂは一側表面、４ｃは一端部、４ｄは他端部である。この図３は斜視図なので、板状ベース体２の一側表面２ｂの位置決め用嵌合部に嵌合する凹所や一端部２ｃに形成した支持凹所６等に対応する凹所等を有する一側表面４ｂ（図３では裏側）が見えないが、該一側表面４ｂには、オネジ３用ネジ穴や軸孔を有する仕切壁が適宜に形成されており、図６で示すようにベース体２の支持凹所６等に本発明を構成する主な部材を組み込んだ後、蓋体４をベース体２に嵌合すると、図７で示すようにロックカム３０、復帰バネ２８、カム２７、カムフロアー４０及び単数又は複数の駆動バネ５０をそれぞれ軸方向に一連に組み込んだ収納空間１５と、ロック解除用ボタン２９を収納した第２収納空間１６がそれぞれ出来上がる。
【００１８】
次に、長尺状のキー２１について説明する。図６で示すように、キー２１の幅広基端部２１ａを除き、該幅広基端部２１ａから延在する差し込み部分２１ｂは、前述した位置決め用嵌合部１２の内部に形成されたキー収納溝５に対して出没自在である。
【００１９】
図８及び図９は、キー２１の全体を示す斜視図である。本実施形態では、図８で示すように、キー２１の幅広基端部２１ａの中央部に非円形のキー貫通孔２２が形成されていると共に、該キー貫通孔２２の付近には、合計２個のキー用取付け小孔２３が形成されている。
【００２０】
ここで、図７を参照にして、各部材の組み合わせ構造を説明する。まず、支持軸２５が収納空間１５の中にどのように架設されているかである。支持軸２５は、キー２１の幅広基端部２１ａのキー貫通孔２２を貫通した状態で、その一端部が筒状ハウジング６０の側壁に直接支承され、一方、その他端部は復帰バネ２８のバネ力で常時ロック解除用操作ボタン２９の方向へと付勢されたロックカム３０の筒状部３０ａに形成された非円形状の嵌合穴３１にカム２７の筒状軸部を介して間接的に支承されている。もちろん、支持軸２５を固定軸としても良いが、実施形態では、支持軸２５も長尺状のキー２１と共に回転自在に組み合わせている。
【００２１】
次に、キー２１が支持軸２５に対してどのように組み合わせられているかである。実施形態では、キー２１の幅広基端部２１ａが筒状カム２７の鍔状部或は環状部２７ａの一側面の中央部に突設した筒状突起軸２７ｂに前述したキー貫通孔２２を介して外嵌し、かつ、複数の固着具２６、前述したキー用取付け小孔２３及び環状部２７ａの一側面に形成した不番のメネジをそれぞれ介して筒状カム２７の環状部２７ａの一側面に固定されているので、キー２１は筒状カム２７を介して支持軸２５に設けられている。
【００２２】
次に、筒状カム２７と同期回転するロックカム３０との組み合わせであるが、実施形態では、幅広基端部２１ａのキー貫通孔２２を貫通した筒状カム２７の筒状突起軸２７ｂの外周面を非真円形状（例えばトラック形状）に形成し、一方、ロックカム３０の筒状部３０ａの非円形状の嵌合穴３１に前記筒状突起軸２７ｂを嵌合させることによって、筒状カム２７とロックカム３０が共に回転することができるようにしている。そして、復帰バネ２８は、その一端部が幅広基端部２１ａの幅広一側面に圧接し、一方、その他端部はロックカム３０の筒状部３０ａに連設する鍔部３０ｂに圧接している。
【００２３】
最後に、長杆状の支持軸２５は、筒状カム２７に嵌挿され、その挿入先端部に相当する一端部２５ａは、筒状カム２７及びカムフロアー４０及び複数の駆動バネ５０を貫通した状態で筒状ハウジング６０の側壁の不番軸孔を貫通し、かつ複数の支持具５１で支持されている。そして、支持軸２５の他端部２５ｂは、その外周面が非真円形状（例えばトラック形状）に形成され、該外周面に対応する筒状カム２７の筒状突起軸２７ｂの不番軸孔に嵌合している。したがって、本実施形態では、駆動バネ５０の駆動力及カムフロアー４０の圧接力により、キー２１が飛び出す方向に回転すると、各部材２７、３０、２５は、それぞれの非円形嵌合部を介して、一緒に回転可能である。
【００２４】
次に図１０は、ロック解除用操作ボタン（操作体）２９と、ロックカム収納部分６ｂのストッパー９と、ロックカム３０との関係を示す。前述した仕切壁８の内壁面に突設しストッパー９は、ロックカム３０の回転を阻止する機能を有し、一方、ロック解除用操作ボタン２９は、プッシュ式のワンタッチ操作により、ロックカム３０を前記仕切壁８のストッパー９から解放する機能を有する。そこで、本実施形態では、図１０で示すように、ロック解除用操作ボタン２９は鍔部２９ａの一側面の中央部から突起する短軸状の嵌合部分２９ｂを有し、該嵌合部分２９ｂが仕切壁８の軸孔１０の中心に位置している。一方、ロックカム３０は、前述した鍔部３０ｂの一側面の中央部から突起する筒状軸部分３０ｃを有し、該筒状軸部分３０ｃは、前記短軸状嵌合部分２９ｂに対して遊嵌合している。付言すると、前記筒状軸部分３０ｃは支持軸２５と同軸芯状の位置となっており、ロック解除用操作ボタン２９を押し込むと、ロックカム３０は復帰バネ２８のバネ力に抗してキーの幅広基端部２１ａの方向へとスライドし、その結果、鍔部３０ｂの一側面に形成した単数又は複数の突起状の係合部分３０ｄが仕切壁８のストッパー９から離脱する。
【００２５】
次に図１１は、筒状ハウジング６０に内装された複数個の駆動バネ５０と、該駆動バネのバネ力により凹凸のカム面がキー側のカム２７に対応する凹凸のカム面にかみ合うカムフロアー４０とを示す概略説明図である。本実施形態では、発明の目的を達成するために、支持軸２５に外嵌するカムフロアー４０は、環状突壁４０ｂを有する軸受けベース板部４０ａの一側面に、少なくとも、始端部に相当する一つの凸部４１（山）と、該凸部に傾斜状に連続すると共に終端部に相当する一つの凹部４２（谷）とを有する。また、前記環状突壁４０ｂの適宜箇所には、駆動バネ５０の端部を受け入れるバネ端支持用の切欠部４３、４３が形成されている。したがって、カムフロアー４０の前記一つの凸部４１（山）に対応する一つの凸部４１ａと、前記一つの凹部４２（谷）に対応する一つの凹部４２ｂ（谷）が、キー側のカム２７のカム面に設けられている。
【００２６】
上記構成に於いて、図１２は、キー２１が把手部１のキー収納溝５に完全に収納されている状態を示す。このキー収納時、筒状ハウジング６０に内装された複数個の駆動バネ５０は、カムフロアー４０の一つの凸部４１（山）付近にキー側（相手側）のカム２７の一つの凸部が位置しているので、収縮している。付言すると、互いの凸部４１、４１ａ（山）同士が圧接して、両者の凹部（谷）４２、４２ｂ同士が離れているので、駆動バネ５０は筒状ハウジング６０で縮設状態となっている。一方、キー２１を把手部１のキー収納溝５に収納した状態を保持するロック機構（図１０のストッパー９と係合部分３０ｄ）のロックが作用しているので、キー２１は不用意にキー収納溝５から飛び出すことはない。
【００２７】
図１３は、図１２のキー収納状態に於いて、ロック解除用操作ボタン２９を復帰バネ２８のバネ力に抗してプッシュした時の説明図である。ロック解除用操作ボタン２９をプッシュすると、ロック機構９、３０ｄのロックが解消する。そうすると、回転が規制されたカムフロアー４０が駆動バネ５０の駆動力により、幅広基端部２１ａ側の軸方向へと移動するので、カム２７が回転する。本実施形態では、カム２７と共にカムフロアー４０、キー２１、及び支持軸２５が所定角度（例えば使用する位置や、その付近）まで回転するので、そのまま把手部１を持って錠前の鍵穴の差し込むことができる（図14参照）。なお、図１５は、指Ｆでキー２１をキー収納溝５へと押し戻す説明図である。この時、逆の作動態様となり、キー２１がキー収納溝５に収まった時は、再びロック機構９、３０ｄのロックが作用する。
【実施例】
【００２８】
本実施形態では、支持軸２５もキー２１と共に回転するが、もちろん、支持軸２５を固定状態に軸架し、該固定支軸にキー２１の幅広基端部２１ａを直接又は間接的に回転自在に設けても良い。また、カムフロアー４０及び相手側のカム２７の傾斜面の角度、カム面の数等は、任意に設計変更することができる。また、ロック解除用操作ボタンの配設箇所、キー収納溝５の形状、キー収納溝５にキー２１を平坦状態に収納する態様等は、当業者が任意に設計変更することができる事項である。
【産業上の利用可能性】
【００２９】
本発明は、建物の扉、家具、自動車等の開閉に使用することができる。
【符号の説明】
【００３０】
Ｘ…携帯型鍵、１…把手部、２…ベース体、２ａ…一側背面、２ｂ…一側表面、２ｃ…一端部、３…固定手段、４…蓋体、５…キー収納溝、６…支持凹所、７…基端部ガイド用切欠、８…仕切壁、９…ストッパー、１０…軸孔、１２…位置決め用嵌合部、１３…貫通孔、１５…収納空間、１６…第２収納空間、２１…キー、２１ａ…幅広基端部、２１ｂ…差し込み部分、２２…キー貫通孔、２３…キー用取付け小孔、２５…支持軸、２６…固着具、２７…筒状カム、２８…復帰バネ、２９…ロック解除用ボタン、３０…ロックカム、３０ｄ…係合部分、３１…嵌合穴、４０…カムフロアー、４１、４１ａ…互いの凸部（山）、４２、４２ｂ…互いの凹部（谷）、５０…駆動バネ、６０…筒状ハウジング。
【図１】
0005862926.tif 000002
【図２】
0005862926.tif 000003
【図３】
0005862926.tif 000004
【図４】
0005862926.tif 000005
【図５】
0005862926.tif 000006
【図６】
0005862926.tif 000007
【図７】
0005862926.tif 000008
【図８】
0005862926.tif 000009
【図９】
0005862926.tif 000010
【図１０】
0005862926.tif 000011
【図１１】
0005862926.tif 000012
【図１２】
0005862926.tif 000013
【図１３】
0005862926.tif 000014
【図１４】
0005862926.tif 000015
【図１５】
0005862926.tif 000016